(57)【要約】【課題】便による肌の汚れを防止可能な使い捨ておむつの提供。【解決手段】使い捨ておむつ１におけるシャーシ１１の内面シート１１ａに隔離シート１７が取り付けられる。隔離シート１７は、前端部分１７ａと後端部分１７ｂとが内面シート１１ａに固定され、中間部分１７ｄはおむつ１における幅方向の中央部が内面シート１１ａから離間可能な状態にある。中間部分１７ｄには、おむつ１の前方に向かって凸となる弧を画く透孔１６が形成され、透孔１６の両側近傍にはおむつ１の長さ方向Ｌへ伸長状態で延びる弾性部材２７が取り付けられる。弾性部材２７は、おむつ１の幅を二等分する中心線Ｃへ接近するように透孔２６の縁に沿っておむつ１の前方へ延びる。【選択図】図１
2007125259.tif 000002
【特許請求の範囲】
【請求項１】
シャーシが平面状に伸展した状態において互いに直交する長さ方向と幅方向とを有し、前記長さ方向に前方と後方とを有し、前記長さ方向の前方には前胴周り域が形成される一方、前記後方には後胴周り域が形成され、これら両胴周り域間には股下域が形成されており、これら各域がおむつ着用者の肌に当接する内面シートと前記内面シートとは反対側にあって前記おむつ着用者の着衣に当接する外面シートとを有し、前記内面シートと前記外面シートとの間には吸収体が介在し、前記内面シートと前記吸収体とが互いに接合している使い捨ておむつであって、
前記シャーシには、前記内面シートと前記肌との間に介在して前記内面シートに向かって排泄された便の前記肌への接触を妨げることが可能な隔離シートが設けられており、
前記隔離シートが、前記長さ方向において、前記前方寄りに位置する前端部分と、前記後方寄りに位置する後端部分と、これら前後端部分間に位置する中間部分とを有するとともに、これら各部分において前記長さ方向へ互いに並行して延びる両側縁を有し、前記前端部分と前記後端部分とは少なくともそれらの一部分が前記内面シートに対して固定状態にある一方、前記中間部分は少なくとも前記幅方向の中央部が前記内面シートに対して非固定状態にあって前記内面シートから離間可能に形成されており、
前記中間部分には、これを前記おむつ着用者の肛門の近傍に当接すると、前記肛門から排泄される前記便を前記内面シートに向かって通過させることが可能であり前記前方へ凸となる弧を描く透孔が形成されていて、前記透孔の前記幅方向における両側それぞれの近傍には、前記長さ方向へ延びる弾性部材が伸長状態で取り付けられており、
前記両側それぞれの前記弾性部材は、前記前方へ凸となる弧を画きながら前記おむつの幅を二等分する中心線へ接近するように前記透孔の縁に沿って前記前方へ延びていることを特徴とする前記おむつ。
【請求項２】
前記平面状に伸展した状態の前記おむつでの前記弾性部材は、前記透孔の前記両側それぞれの近傍においてほぼ平行に前記長さ方向へ延びている請求項１記載のおむつ。
【請求項３】
前記両側それぞれの前記弾性部材が前記中心線へ接近するように前記前方へ延びた後、さらに延びて前記中心線上において互いに交差している請求項１または２記載のおむつ。
【請求項４】
前記両側それぞれの前記弾性部材が前記中心線へ接近するように前記前方へ延びた後、互いに離間するようにさらに前記前方へ延びている請求項１または２記載のおむつ。
【請求項５】
前記弾性部材は、弛緩した状態において、前記両側それぞれから前記前方へ、前記中心線へ向かってほぼ直線状に延びている請求項１〜４のいずれかに記載のおむつ。
【請求項６】
前記両側それぞれの前記弾性部材は、前記中心線上において交差するように前記前方へ延びた後、さらに前記前方へ延びて前記内面シートに固定されている前記隔離シートの前記前端部分に届いている請求項３記載のおむつ。
【請求項７】
前記シャーシの前記後胴周り域は、前記幅方向における両側に前記幅方向へ弾性的に伸長、収縮可能な弾性域を有し、前記隔離シートは、前記後端部分が、前記後胴周り域における前記両側の弾性域と弾性域との間にあって、前記内面シートの前記吸収体と重なる部分に固定されている請求項１〜６のいずれかに記載のおむつ。
【請求項８】
前記おむつは、前記シャーシにおける前記前後胴周り域の側縁部どうしが接合されているパンツ型のものである請求項１〜７のいずれかに記載のおむつ。
【請求項９】
前記おむつの前記股下域では、弾性部材が前記幅方向へ伸長状態で延びている請求項１〜８のいずれかに記載のおむつ。
【発明の詳細な説明】
【技術分野】
【０００１】
この発明は、使い捨ておむつに関し、さらに詳しくは、便によるおむつ着用者の肌の汚れを防止可能な使い捨ておむつに関する。
【背景技術】
【０００２】
使い捨ておむつの一例として、着用者の肌に近接して位置する頂部シートに開口を設け、その開口を形成する互いに平行な一対の側縁それぞれに弾性部材を配置し、それら弾性部材が開口の前方部分から後方部分に向かって末広がりに延びている使い捨ておむつがある（特許文献１参照）。このおむつでは、着用時に開口がそれに予定された幅を保つことができるように、末広がりに延びた弾性部材が開口の両側縁を互いに離間させている。
【０００３】
また、使い捨ておむつの他の例として、便による臀部の汚れを防ぐことを目的としたものであって、トップシートの上に配置されていておむつの長手方向における両端部がトップシートまたはバックシートに接合されているスキンコンタクトシートを有し、おむつの股下域ではそのスキンコンタクトシートに開口部が形成され、その開口部を囲むようにスキンコンタクトシートには弾性部材が伸長状態で接合されているものがある（特許文献２参照）。このおむつを着用するときには、開口部を着用者の肛門の位置に合わせる。
【特許文献１】特表平９−５０６５２８号公報
【特許文献２】特開２００２−１１０４４号公報
【発明の開示】
【発明が解決しようとする課題】
【０００４】
特許文献１に開示されたおむつでは、頂部シートを前方縁と後方縁とで固定しており、それゆえに頂部シートは着用者の臀部両側部と外性器とに直接触れることとなる。このような頂部シートは、尿を透過させるために、親水性で液透過性のものであるから、それが尿によって濡れて肌に触れ続けると、おむつかぶれの原因になることがある。また、頂部シートは液透過性であるため、着用者が座ったり、寝転がったりして体圧がおむつにかかると、頂部シートの下にある便が逆流してしまい、便で外性器とその近傍を汚すことがある。さらに、特許文献１に記載のおむつでは、開口と頂部シートを固定する位置とが遠く離れている。したがって、着用者の両脚の動きによって変形しやすい股下域に形成されている開口は、その形状が簡単に変化することがないように、開口の側縁に沿って延びる弾性部材を強い力で着用者に密着させる必要がある。しかし、弾性部材をあまりに強く密着させると、かぶれの原因になる恐れがある。また、弾性部材を末広がりとなるように配置するのであれば、開口も末広がりとなるように形成することが好ましいであろうが、肛門付近での開口の幅方向の寸法は、便を受け容れるために通常３〜６ｃｍが必要であるから、末広がりの開口がおむつの後方でそれよりもさらに大きく広がることは、便による肌の汚れを防止するうえで好ましいことではない。
【０００５】
また、特許文献２に開示されたおむつでは、開口部を囲むように弾性部材を配置することでスキンコンタクトシートを開口の前と後で肌に密着させることができるが、特許文献１に記載のおむつと同様に、スキンコンタクトシートをおむつの長手方向の両端でトップシートあるいはバックシートに接合しているため、おむつの股下域が着用者の両脚の動きによって圧迫状態になったり、非圧迫状態になったりすることを繰り返すたびに、開口はその形状が変化して肛門から外れてしまい、便が開口に入らず便によって肌を汚すということがある。また、スキンコンタクトシートは、おむつの長手方向の両端に配置された前後胴周り弾性部材に接合されており、着用者の胴周り寸法に対応するように胴周り弾性部材の伸長割合が変化すると、開口の形状も変化するということがある。
【０００６】
この発明では、従来の使い捨ておむつにおけるこれら諸問題の解決を課題にしている。
【課題を解決するための手段】
【０００７】
上記課題を解決するためにこの発明が対象とするのは、シャーシが平面状に伸展した状態において互いに直交する長さ方向と幅方向とを有し、前記長さ方向に前方と後方とを有し、前記長さ方向の前方には前胴周り域が形成される一方、前記後方には後胴周り域が形成され、これら両胴周り域間には股下域が形成されており、これら各域がおむつ着用者の肌に当接する内面シートと前記内面シートとは反対側にあって前記おむつ着用者の着衣に当接する外面シートとを有し、前記内面シートと前記外面シートとの間には吸収体が介在し、前記内面シートと前記吸収体とが互いに接合している使い捨ておむつである。
【０００８】
かかる使い捨ておむつにおいて、この発明が特徴とするところは次のとおりである。前記シャーシには、前記内面シートと前記肌との間に介在して前記内面シートに向かって排泄された便の前記肌への接触を妨げることが可能な隔離シートが設けられている。前記隔離シートは、前記長さ方向において、前記前方寄りに位置する前端部分と、前記後方寄りに位置する後端部分と、これら前後端部分間に位置する中間部分とを有するとともに、これら各部分において前記長さ方向へ互いに並行して延びる両側縁を有し、前記前端部分と前記後端部分とは少なくともそれらの一部分が前記内面シートに対して固定状態にある一方、前記中間部分は少なくとも前記幅方向の中央部が前記内面シートに対して非固定状態にあって前記内面シートから離間可能に形成されている。前記中間部分には、これを前記おむつ着用者の肛門の近傍に当接すると、前記肛門から排泄される前記便を前記内面シートに向かって通過させることが可能であり前記前方へ凸となる弧を画く透孔が形成されていて、前記透孔の前記幅方向における両側それぞれの近傍には、前記長さ方向へ延びる弾性部材が伸長状態で取り付けられている。前記両側それぞれの前記弾性部材は、前記凸となる弧を画きながら前記おむつの幅を二等分する中心線へ接近するように前記透孔の縁に沿って前記前方へ延びている。
【０００９】
この発明の好ましい実施態様の一つにおいて、前記平面状に伸展した状態の前記おむつでの前記弾性部材は、前記透孔の前記両側それぞれの近傍においてほぼ平行に前記長さ方向へ延びている。
【００１０】
この発明の好ましい実施態様においてはまた、前記両側それぞれの前記弾性部材が、前記中心線へ接近するように前記前方へ延びていて、前記中心線上において交差しているか、前記中心線の近傍において最も接近した後に互いに離間するようにさらに前記前方へ延びている。
【００１１】
この発明の好ましい実施態様の他の一つにおいて、前記弾性部材が弛緩した状態において、前記両側それぞれから前記前方へ、の前記中心線へ向かってほぼ直線状に延びている。
【００１２】
この発明の好ましい実施態様の他の一つにおいて、前記両側それぞれの前記弾性部材は、前記中心線上において交差するように前記前方へ延びた後、さらに前記前方へ延びて前記内面シートに固定されている前記隔離シートの前記前端部分に届いている。
【００１３】
この発明の好ましい実施態様の他の一つにおいて、前記シャーシの前記後胴周り域は、前記幅方向における両側に前記幅方向へ弾性的に伸長、収縮可能な弾性域を有し、前記隔離シートは、前記後端部分が、前記後胴周り域における前記両側の弾性域と弾性域との間にあって、前記内面シートの前記吸収体と重なる部分に固定されている。
【００１４】
この発明の好ましい実施態様の他の一つにおいて、前記おむつは、前記シャーシにおける前記前後胴周り域の側縁部どうしが接合されているパンツ型のものである。
【００１５】
この発明の好ましい実施態様のさらに他の一つにおいて、前記おむつの前記股下域では、弾性部材が前記幅方向へ伸長状態で延びている。
【発明の効果】
【００１６】
この発明に係る使い捨ておむつでは、シャーシの内面シートに隔離シートが設けられ、この隔離シートは、前後端部分がその内面シートに固定されていて、中間部分に便の通過を可能にする透孔を有するとともに、透孔の両側部それぞれの近傍では弾性部材が伸長状態で長さ方向へ延びている。前方へ延びる弾性部材は、前方へ凸となる弧を画きながら中心線へ接近するように延びているから、透孔を肛門に一致させるようにこのおむつを着用して、そのおむつの股下域の幅が狭められると、弧を画くように延びていたそれぞれの弾性部材は収縮して直状に延びるように変化して中心線を中心にＶ字形を画く。その変化に伴い透孔もその前方部分がＶ字形を画くように変形し、その前方部分における透孔の縁は臀部のわれ目へ進入し、溝を形成しているそのわれ目の内部では肛門の両側で肌に密着することが可能になる。したがって、肛門から出た便は、臀部のわれ目において透孔を通過し、隔離シートとシャーシの内面シートとの間に形成される空間へ進入する。空間へ進入した便は、隔離シートの存在によって肛門周囲の肌に触れることがない。
【００１７】
透孔の両側における弾性部材が互いに平行に長さ方向へ延びている態様のこの発明では、隔離シートが肛門の両側において均等に肌に密着し、便が透孔を容易に通過する。
【００１８】
この発明では、弾性部材がおむつの中心線上において互いに交差しているか、または中心線近傍において最も接近している態様にあれば、おむつの股下域の幅が狭められたときに、弧を画くように延びていた弾性部材がＶ字形を画くように変化し、Ｖ字形の頂部近傍は、肛門の前方において肌に当接可能になる。
【００１９】
弾性部材が、弛緩した状態において、透孔の両側それぞれから中心線へ向かってほぼ直線状に延びている態様のこの発明では、隔離シートが肛門の前方において肌を広く覆うから、透孔から空間へ進入した便によって外性器とその近傍の肌とを汚すことが少なくなる。
【００２０】
長さ方向へ延びる弾性部材が中心線上において交差するとともに、隔離シートの前端部分にまで届いているこの発明の態様では、隔離シートをその前端部分近傍においてシャーシの内面から離間させて空間の内容積を大きくすることが可能になる。
【００２１】
隔離シートの後端部分が内面シートの吸収体と重なる部分に固定してあるこの発明の態様では、シャーシの後胴周り域における弾性域が胴周り方向へ伸長、収縮することがあっても、その伸長、収縮が隔離シートの後端部分にまでは及び難く、隔離シートの後端部分において透孔の幅は狭くなることがない。
【００２２】
シャーシにおける前後胴周り域の側縁部どうしが接合されておむつがパンツ型に形成されているこの発明の態様では、おむつの着用のさせ方によって前後胴周り域の互いの位置関係が変化するということがないから、おむつを交換するときに、隔離シートにおける透孔を肛門に一致させることが容易になる。
【００２３】
おむつの股下域において弾性部材が前記幅方向へ伸長状態で延びている態様のこの発明では、弾性部材の収縮によって股下域の幅が自動的に狭められて、弧を画くように隔離シートに取り付けられている弾性部材は直状に延びるように変化することが容易になる。
【発明を実施するための最良の形態】
【００２４】
添付の図面を参照して、この発明に係る使い捨ておむつの詳細を説明すると、以下のとおりである。
【００２５】
図１，２，３において、図１はオープン型の使い捨ておむつ１０が平面状に伸展した状態にあるときの部分破断平面図であり、図２はおむつ１０が自然状態にあるときの部分破断斜視図であり、図３は図２のＩＩＩ−ＩＩＩ線断面図である。
【００２６】
図１のおむつ１０は、互いに直交する長さ方向Ｌと幅方向Ｗとを有し、幅方向Ｗの寸法を二等分して長さ方向Ｌへ延びる中心線Ｃに関して対称である。おむつ１０は、長さ方向Ｌの前方に形成された前胴周り域１２と、長さ方向Ｌの後方に形成された後胴周り域１３と、これら両域１２，１３間に介在するように形成された股下域１４とを有するシャーシ１１を含み、シャーシ１１には、半剛性であって体液を吸収することが可能な吸収体１６が含まれている。このシャーシ１１は、おむつ１０の本体部分と呼ぶこともできる。
【００２７】
シャーシ１１は、股下域１４が幅方向Ｗの内側へ湾曲している砂時計型のものであって、おむつ着用者の肌に当接する内面を形成している透液性の内面シート１１ａと、内面シート１１ａとは反対側にあっておむつ着用者の着衣に当接する外面を形成している不透液性の外面シート１１ｂとを有し、これら両シート１１ａ，１１ｂ間に吸収体１６が介在している。内面シート１１ａは、ホットメルト接着剤等の接合手段（図示せず）を介して吸収体１６に対して接合するとともに、吸収体１６の周縁部から延出する部分が外面シート１１ｂに対して接着または溶着により接合している。内面シート１１ａには、後胴周り域１３から股下域１４にかけての部位に不透液性または液抵抗性の隔離シート１７が取り付けられている。ここで、液抵抗性とは、液の透過が不可能ではないが、おむつにおける体液の漏れや滲みの原因となる液の透過を抑制する能力があることを意味している。かかる隔離シート１７は、長さ方向Ｌの前方に前端部分１７ａを有し、後方に後端部分１７ｂを有し、これら１７ａ，１７ｂ間に中間部分１７ｄを有する。また、これら各部分１７ａ，１７ｂ，１７ｄは、長さ方向Ｌへ互いに並行して延びる一対の側縁１７ｃを有する。前端部分１７ａと後端部分１７ｂとは、少なくともそれらの一部分が接着または溶着によって内面シート１１ａに固定されており、各部分１７ａ，１７ｂ，１７ｄにおける側縁１７ｃの近傍は、内面シート１１ａに固定されている場合と、固定されていない場合とがある。中間部分１７ｄは、側縁１７ｃよりも内側の部分である幅方向Ｗの中央部が内面シート１１ａに対して固定されておらず、内面シート１１ａから図３の上方へ離間可能な状態にある。
【００２８】
シャーシ１１では、前胴周り域１２が前端縁部１２ａと両側縁部１５ａとを有し、後胴周り域１３が後端縁部１４ａと両側縁部１５ｂとを有する。股下域１４は、中心線Ｃに向かって湾曲する両側縁部１５ｃを有し、この側縁部１５ｃと側縁部１５ａ，１５ｂとは図示の如く連続している。前後胴周り域１２，１３では、帯状の胴周り弾性部材２０ａ，２０ｂが内面シート１１ａと外面シート１１ｂとの間にあって、これら両シート１１ａ，１１ｂの少なくとも一方に伸長状態で接合している。股下域１４の両側縁部１５ｃでは、複数条の糸ゴムからなる脚周り弾性部材２１が内面シート１１ａと外面シート１１ｂとの間にあって、これら両シート１１ａ，１１ｂの少なくとも一方に伸長状態で接合している。脚周り弾性部材２１を含む側縁部１５ｃのそれぞれは、おむつ１０におけるガスケットカフを形成している。シャーシ１１ではまた、長さ方向Ｌへ延びる帯状のバリアカフ２２が内面シート１１ａに取り付けられている。バリアカフ２２は、内面シート１１ａとは別体であって液抵抗性、より好ましくは不透液性を有するシートによって形成されており、内面シート１１ａに対して起立可能なカフ部分２２ａと、内面シート１１ａに対してホットメルト接着剤２２ｄを介して接合している固定部分２２ｂとを有する。カフ部分２２ａは、頂部２２ｃを有し、その頂部２２ｃには、長さ方向Ｌへ延びる糸ゴムで形成されたカフ弾性部材２３が伸長状態で取り付けられている。おむつ１０が図２，３の如く内面シート１１ａを内側にして長さ方向Ｌにおいて湾曲している状態では、カフ弾性部材２３が収縮して、カフ部分２２ａが内面シート１１ａからその上方に向かって立上がり、体液の横漏れを防ぐ防漏壁を形成している。
【００２９】
シャーシ１１ではまた、後胴周り域１３の側縁部１５ｂのそれぞれに、前後胴周り域１２，１３を胴周り方向において連結するためのテープファスナ２４が取り付けられている。テープファスナ２４は、その基部（図示せず）が側縁部１５ｂに剥離することがないように取り付けられる一方、前胴周り域１２に対するファスニング部２４ａが図１においておむつ１０の外側に向かって伸展可能である。前胴周り域１２における外面シート１１ｂには、テープファスナ２４のファスニング部２４ａを剥離可能に止めるときの相手方となるターゲットテープ２５（図３参照）が取り付けられている。ファスニング部２４ａをターゲットテープ２５に止めるためのファスニング部２４ａにおける手段には、粘着剤やメカニカルファスナのフック部材、メカニカルファスナのループ部材を使うことができる。
【００３０】
隔離シート１７は、その中間部分１７ｄに長円形の透孔２６が形成されており、幅方向Ｗにおける透孔２６の両側部分２６ｃそれぞれの近傍には、長さ方向Ｌへ延びる１本または複数本の糸ゴムによって形成されていて、隔離シート１７を内面シート１１ａからその上方へ離間させることが可能な離間用弾性部材２７が伸長状態で取り付けられている。図１に示されているように、離間用弾性部材２７は、透孔２６の両側部分２６ｃの近傍で長さ方向Ｌへ直線状に延びる側方部分２７ａと、透孔２６の縁のうちで円弧を画いている前方部分２６ａに沿って前方へ向かって凸となる弧を画くように湾曲して前方部分２６ａの前方における中心線Ｃにまで延びる湾曲部分２７ｂと、湾曲部分２７ｂどうしの中心線Ｃ上における交差部２９から隔離シート１７の前端部分１７ａの近傍にまで延びる前方部分２７ｃとを有し、交差部２９の近傍において離間用弾性部材２７はＸ字形を画いている。離間用弾性部材２７が透孔２６の両側部分２６ｃから後方へ延びる後方部分２７ｄは、互いに交差することなく隔離シート１７の後端部分１７ｂに向かって直線状に延びている。
【００３１】
かような隔離シート１７は、一枚のシートで形成されていてもよいが、好ましくは、図１に示されるように重なり合って互いに接合する二枚のシート１７ｅ，１７ｆで形成されており、離間用弾性部材２７がこれら二枚のシート１７ｅ，１７ｆの間にあって、少なくとも一方のシートに伸長状態で接合している。離間用弾性部材２７が、互いに並行する複数本の糸ゴムで形成されている場合の糸ゴムどうしの間隔は、図１に示されるように、透孔２６の両側部分２６ｃの近傍から交差部２９に向かって徐々に狭くなり、交差部２９から前方に向かっては徐々に広くなることが好ましい。隔離シート１７の前後端部分１７ａ，１７ｂは、幅方向Ｗの全体において内面シート１１ａに接合していることが好ましいが、その態様の接合に代えて、前後端部分１７ａ，１７ｂのそれぞれを離間用弾性部材２７の前方部分２７ｃおよび後方部分２７ｄの近傍においてのみ内面シート１１ａに接合することもできる。また、隔離シート１７の両側縁１７ｃの近傍は、長さ方向Ｌの全体を内面シート１１ａに接合することが好ましいが、その態様に代えて中間部分１７ｄにおける両側縁１７ｃを内面シート１１ａに接合しない態様を採用することもできる。ただし、いずれの態様においても、前後端部分１７ａ，１７ｂの少なくとも一部分は内面シート１１ａに接合しており、その接合する部位の近傍における内面シート１１ａが吸収体１６に接合していることによって、隔離シート１７は、吸収体１６が変形しない限り簡単には変形することがなく、したがってまた着用者に対する透孔２６の位置と形状も簡単には変化することがない。
【００３２】
この発明において、かように形成されたおむつ１０が平面状に伸展した状態にあるとは、図２，３の如く各弾性部材が弛緩して湾曲した状態にあるおむつ１０が長さ方向Ｌと幅方向Ｗとに引張られて各弾性部材の収縮に起因するギャザーがおむつ１０から消失し、シャーシ１１の内面シート１１ａと外面シート１１ｂとがそれら本来の平面的な形状に近い状態に復帰していることを意味している。
【００３３】
図２，３に示されるように、自然状態にあるおむつ１０は、胴周り弾性部材２０と、脚周り弾性部材２１と、カフ弾性部材２３とが収縮することによって、内面シート１１ａを内側にして長さ方向Ｌへ、または長さ方向Ｌと幅方向Ｗとへゆるやかに湾曲しており、不織布やフィルムには各弾性部材を横切る複数のギャザー（図示せず）が形成されているが、図にはそれらギャザーの一部のもののみが示されている。シャーシ１１は、隔離シート１７の前端部分１７ａと後端部分１７ｂとの間において、外面シート１１ｂを外側にして凸となるように湾曲する一方、隔離シート１７は、離間用弾性部材２７が収縮することにより、内面シート１１ａから離間し、これら両シート１７，１１ａ間に空間３１が形成されて、透孔２６がその空間３１の入り口となる。また、シャーシ１１が胴周り弾性部材２０の収縮によって幅方向Ｗの寸法が見かけ上において狭まると、隔離シート１７も両側縁１７ｃが中心線Ｃに接近するように動いて幅が見かけ上において狭まる。すると、中心線Ｃの両側における離間用弾性部材２７の湾曲部分２７ｂが収縮し、直状に延びるように変化してＶ字形を画き、透孔２６の弧を画いていた前方部分２６ａも、そこにギャザー２６ｆを作って、Ｖ字形を画くように変化する。その結果、透孔２６の幅方向Ｗにおける寸法は、隔離シート１７の後端部分１７ｂの近傍で大きく変化することはないが、透孔２６における前方部分２６ａの近傍では急激に狭くなるように変化する。そのおむつ１０が着用されて股下域１４が両脚に挟まれると股下域１４の幅はさらに狭まって、前方部分２６ａのＶ字形を画くような変形が一層顕著になる。かようなおむつ１０において、透孔２６がおむつ着用者の肛門と一致するように隔離シート１７がシャーシ１１に取り付けられていると、透孔２６の両側部分２６ｃは、離間用弾性部材２７とともに臀部のわれ目に入り、溝を形成しているそのわれ目の内部では肛門の両側で肌に密着することが可能になる。したがって、着用者が排泄する便は、臀部のわれ目の内側に形成されている透孔２６を通って空間３１へと容易に進入する。また隔離シート１７は、離間用弾性部材２７がＸ字形を画く交差部２９とその近傍が肛門よりも前方であって外性器よりも後方において肌に当接することが可能となるように取り付けられる。そのような状態にある隔離シート１７で、離間用弾性部材２７が収縮していると、透孔２６は、透孔２６が図１の如く拡開している場合に比べると、前方部分２６ａに近づくに従って、換言すると外性器に近づくに従って幅方向Ｗの寸法Ｍｂが小さくなっているから、空間３１に納まる便は透孔２６を出て外性器に向かって流れることが難しくなる一方、外性器から排泄されて後方に向かって流れる尿は、空間３１へ流入し難くなる。即ち、図１のおむつ１０では、便が空間３１へ進入することを容易にしたり、便によって外性器が汚れることを防止したり、空間３１において尿と便とが混ざり合うことを防止したりすることができる。
【００３４】
隔離シート１７が前後端部分１７ａ，１７ｂと両側縁１７ｃ近傍それぞれの全長において内面シート１１ａに固定されている場合の空間３１は、透孔２６においてのみ外部と通じている。このような空間３１に納まる便は、流出し難くて、肌を汚す可能性も低いが、両側縁１７ｃの全長が内面シート１１ａに固定されていることによって、離間用弾性部材２７の収縮が抑えられ、透孔２６の弧を画く湾曲部分２６ｃがＶ字形を画くように変化することの妨げになる場合がある。そのような場合を避けるために、隔離シート１７は、両側縁１７ｃの一部分、例えば中間部分１７ｄにおける両側縁１７ｃが内面シート１１ａに接合されていない状態にして離間用弾性部材２７の収縮を容易にすることができる。そして、離間用弾性部材２７の収縮量が多くなるほど、隔離シート１７は内面シート１１ａから大きく離間して深さの深い空間３１が形成される。この場合の空間３１に納まる便は、幅方向Ｗへ流れると、その流れがバリアカフ２２によって止められて、おむつ１０から漏れることがない。このように作用するバリアカフ２２は、それが中心線Ｃに向かって倒伏すると、カフ部分２２ａが隔離シート１７に重なる幅を有しているものであることが好ましい（図１参照）。隔離シート１７では、離間用弾性部材２７の湾曲部分２７ｂを含む部位が、そこにギャザー１７ｆが生じてほぼ直線状に延びる部位に変化しているが、このような部位は、それが密着している肌の動きに合わせてギャザー１７ｆが伸長したり収縮したりするので、肌に密着した状態を維持することができる。隔離シート１７はこのようなものであるから、その両側縁１７ｃが内面シート１１ａに接合しているか否かにかかわらず、空間３１に納まる便を肌から隔離して、便によって肌が汚れることを防止することができる。
【００３５】
図２，３の如くおむつ１０が自然状態にあるときの透孔２６は、前方部分２６ａから後方部分２６ｂまでの長さ方向Ｌの寸法Ｍａが５０〜２００ｍｍ程度であり、幅方向Ｗにおける最大寸法Ｍｂが３０〜１００ｍｍ程度であることが好ましい。透孔２６にはまた、Ｖ字形を画いているときの前方部分２６ａにおける開角αが４０〜１３０度程度であることが好ましい。好ましい隔離シート１７は、透孔２６の前方部分２６ａから後方に向かって３０〜９０ｍｍ程度の距離だけ離れた部位がおむつ着用者の肛門とほぼ一致するように、内面シート１１ａに取り付けられる。そのときの透孔２６の寸法Ｍａは、その距離よりも少なくとも２０ｍｍ大きい値にしておくことが好ましい。おむつ１０では、最大寸法Ｍｂが３０ｍｍより小さいとか、開角αが４０度よりも小さいと、着用者の脚の動きによっては透孔２６が閉じて、空間３１への便の進入が不可能になるということがある。一方、最大寸法Ｍｂが１００ｍｍよりも大きいとか、開角αが１３０度よりも大きいと、透孔２６の両側部分２６ｃは、臀部のわれ目の内部での肛門近傍の肌に対するフィット性が悪くなって、便が透孔２６へ進入し難くなる。おむつ１０ではまた、透孔２６の前方部分２６ａから肛門までの距離が３０ｍｍ未満であると、臀部に対して隔離シート１７が動いた場合に、便が透孔２６へ進入せずに隔離シート１７の上にのり易くなり、便によって肌を汚すことが多くなる。一方、透孔２６の前方部分２６ａから肛門までの距離が９０ｍｍを超える部位にあると、着用者の外性器が透孔２６の内側に入って便で外性器を汚すということが多くなる。
【００３６】
このように形成されるおむつ１０において、内面シート１１ａには、熱可塑性合成繊維からなる透液性の不織布、熱可塑性合成樹脂からなる透液性の開孔フィルム等が使用され、好ましくはこれら繊維やフィルムが親水化処理して使用される。外面シート１１ｂには、疎水性の熱可塑性合成繊維からなる不透液性または液抵抗性の不織布、熱可塑性合成樹脂からなる不透液性または液抵抗性のフィルムが使用される他に、そのフィルムの外面に不織布をラミネートして肌触りを布様にした複合シート等が使用される。液抵抗性のフィルムの例には、炭酸カルシウムや硫酸バリウム等の微粒子を混入させたポリオレフィン系合成樹脂からなるフィルムを一軸または二軸延伸して得られる通気性のものがある。
【００３７】
吸収体１６は、例えば、吸水性材料であるフラッフパルプ、フラッフパルプと非吸水性材料である熱可塑性合成樹脂との混合物、フラッフパルプと高吸収性ポリマー粒子との混合物、フラッフパルプと熱可塑性合成繊維と高吸収性ポリマー粒子との混合物等を透液性かつ親水性のティシュー紙やクレープ紙、不織布等の被覆シートで覆い、圧縮したものが使用される。吸収体１６は、内面シート１１ａや外面シート１１ｂよりも高い曲げ剛性を有するものではあるが、それでも各弾性部材の作用によって図２、３の如くに容易に湾曲するものであって、このような吸収体１６は、半剛性のものと呼ぶことができる。吸収体１６が高吸収性ポリマー粒子を含むものである場合の被覆シートとしての不織布には、メルトブローン不織布を使用して、坪量が同じではあるが繊度が大きい繊維からなる不織布を使用する場合に比べて繊維どうしの間隙が小さくなるようにし、吸水して膨潤した高吸収性ポリマー粒子がその間隙から外へ出ないようにすることが好ましい。吸収体１６の形状には、特に規定がなく、図１に示されているように矩形であってもよいし、砂時計型であってもよい。吸収体１６はまた、図３に示されているように一様な厚さを有するものである他に、隔離シート１７の透孔２６と向かい合う部位をくぼませたり、それらの部分から吸水性材料を取り除いたりすることができる（図１１参照）。ただし、吸収体１６は、透孔２６と向かい合う部位における幅方向Ｗの寸法が透孔２６の幅方向Ｗにおける寸法よりも大きく作られる。
【００３８】
胴周り弾性部材２０、脚周り弾性部材２１、カフ弾性部材２２、離間用弾性部材２７には、天然ゴム、合成ゴム、ウレタンフォーム等のエラストマーで形成された糸ゴムや平ゴム等が使用される。
【００３９】
バリアカフ２２は、熱可塑性合成樹脂からなり、不透液性または液抵抗性を有する不織布やフィルムによって形成することができる。
【００４０】
図４，５は、この発明の実施態様の一例であるおむつ２１０についての図１，２と同様な図である。おむつ２１０は、図１のおむつ１０における隔離シート１７とは異なる態様の隔離シート２１７を有している点を除くと、おむつ１０と同様に形成されている。図４において、隔離シート２１７は、前端部分１７ａの幅方向中央部にほぼ半円形に切り欠かかれた凹部３２を有し、離間用弾性部材２７がその凹部３２の縁に沿って交差部２９から隔離シート２１７の前端部分１７ａにまで伸長状態で延びている。その前端部分１７ａは、凹部３２を除き、幅方向Ｗへ直線状に延びる部分２８ａが内面シート１１ａに接着または溶着によって固定されている。離間用弾性部材２７の互いに並行している糸ゴムどうしの離間寸法はほぼ一定である。図５の如くおむつ２１０が自然状態にあって湾曲し、弾性部材のそれぞれが収縮している状態では、離間用弾性部材２７の部分２７ｂ，２７ｃも収縮してほぼ直線状に延び、凹部３２の近傍でＸ字形を画くように変形している。隔離シート２１７の前端部分１７ａが図１のおむつ１０の前端部分１７ａよりもさらに前方に延びている場合には、凹部３２を形成することによって内面シート１１ａの一部分露出させ、その露出させた部分を使用して尿を吸収することが好ましい。
【００４１】
図６は、この発明において使用される隔離シートの一例を示す図である。図示の隔離シート３１７は、図４の隔離シート２１７と同じ形状を有するものであるが、透孔２６の両側部分２６ｃのそれぞれにおいて長さ方向Ｌへ直線状に延びる離間用弾性部材２７は、図において透孔２６の左側に位置する第１弾性部材２７Ｌと弾性部材２７Ｒとからなり、これら第１、第２弾性部材２７Ｌ，２７Ｒは、中心線Ｃ上で交差することなく、中心線Ｃの近傍の部位で最も接近した状態にある。その部位の前方および後方において、第１、第２弾性部材２７Ｌ，２７Ｒは互いに大きく離間している。このような隔離シート３１７もまた、おむつを着用したりしておむつの股下域の幅が狭まると、第１、第２弾性部材２７Ｌ，２７Ｒは収縮して仮想線１２７Ｌ，１２７Ｒの如く直線状に延びるように変化するとともに、透孔２６の前方部分２６ａがＶ字形を画くように変形し、前方部分２６ａの近傍では、第１、第２弾性部材２７Ｌ，２７Ｒが協働してＸ字形を画くことが可能になる。
【００４２】
図７，８，９，１０において、図７はこの発明の実施態様の他の一例を示すパンツ型おむつ５１０の斜視図であり、図８はおむつ５１０の前後胴周り域１２，１３と股下域１４とを図４と同様に平面状に伸展すると得られるおむつ５１０ａの部分破断平面図であり、図９は図８のおむつ５１０ａが自然状態にあるときの部分破断斜視図であって、図１０は図９のＸ−Ｘ線断面図である。
【００４３】
図８，９に示されたおむつ５１０ａはシャーシ１１を有し、そのシャーシ１１が前胴周り域１２の幅方向Ｗにおいて対向する一対の側縁部１５ａと、後胴周り域１３の幅方向Ｗにおいて対向する一対の側縁部１５ｂと、股下域１４の幅方向Ｗにおいて対向する一対の側縁部１５ｃとを有する。シャーシ１１は、その長さＥを二等分する中心線Ｄにおいて内面シート１１ａを内側にして折り重ねられ、そのときに合掌状に重なり合う側縁部１５ａと１５ｂとが、図７において上下方向へ間欠的に並ぶ接合部５１で接合されて、図７のパンツ型おむつ５１０が得られる。
【００４４】
図７に示されるように、おむつ５１０には、胴周り開口３４と一対の脚周り開口３５とが形成されている。胴周り開口３４を形成しているシャーシ１１の前後両端部１２ａ，１４ａでは、複数本の糸ゴムからなる胴周り弾性部材２０が内面シート１１ａと外面シート１１ｂとの間にあって、胴周り方向へ伸長した状態でこれらシート１１ａ，１１ｂの少なくとも一方に接合している。脚周り開口３５の周縁の上側半分では、その周縁に沿って延びる脚周り弾性部材２１が内面シート１１ａと外面シート１１ｂの間にあって、これらシート１１ａ，１１ｂの少なくとも一方に伸長状態で接合している。おむつ５１０におけるシャーシ１１の前後胴周り域１２，１３では、複数本の糸ゴムからなる胴周り補助弾性部材３６が上下方向で互いに離間し、周り方向に伸長された状態で取り付けられている。胴周り補助弾性部材３６は、両側縁部１５ａ，１５ｂよりも下側である股下域１４に取り付けられることもある。シャーシ１１における外面シート１１ｂは、図１における外面シート１１ｂよりも長さ方向に長く作られているものであって、その長く作られている部分１１ｃが前後胴周り域１２，１４それぞれにおける前後端部１２ａ，１４ａでシャーシ１１の内側へ折り返されて、内面シート１１ａに接着または溶着により接合されている（図８，９参照）。外面シート１１ｂは、熱可塑性合成繊維の不織布で形成されており、吸収体１６と向かい合う部分には、吸収体１６よりも大きくて、不透液性または液抵抗性を有し、熱可塑性合成樹脂で形成された防漏用フィルム３８が重ねられることにより、シャーシ１１の外面を形成する不透液性シートとして機能している。また、このシャーシ１１における内面は、股下域１４または股下域１４と前後胴周り域１２，１３における股下域１４の近傍の部位であって、内面シート１１ａによって形成されている部位が透液性であり、内面シート１１ａに重なる外面シート１１ｂの部分１１ｃによって形成されている部位が不透液性、液抵抗性、透液性のいずれかである。
【００４５】
おむつ５１０の吸収体１６は、図９，１０において明らかなように、隔離シート１７の透孔２６と向かい合う部位に凹部５２が形成されていて、その凹部５２では吸収性材料が取り除かれている。その凹部５２の内側は、半剛性シート３７によって形成されている。半剛性シート３７は、凹部５２の底を形成するとともに、凹部５２の周壁５３を被覆しており、凹部５２の周囲では内面シート１１ａに対して重なり合って接合している。半剛性シート３７は、不織布やティッシュペーパ、熱可塑性合成樹脂フィルム等によって形成することができるもので、好ましくは、吸収体１６の曲げ剛性と同じ程度かそれよりも高い剛性を有している。凹部５２は、隔離シート１７と協働して便を受け容れるための空間３１を形成している。吸収体１６にかような凹部５２を有するシャーシ１１は、半剛性シート３７が凹部５２の内面を形成していることによって、おむつ１が着用されて股下域１４の幅が狭められ、股下域１４が幅方向Ｗにおいて二つに折れて外側に向かって膨らんだときのその膨らみは、おむつ着用中に簡単に変形するということがない。股下域１４がそのように膨らむと、隔離シート１７と半剛性シート３７とが大きく離間し、深い空間３１を形成することができる。そのような空間３１は、多くの便を受け容れることができて、しかも、空間３１からの便の流出を防ぐことができる。このように作用する半剛性シート３７は、凹部５２を形成すべき部位において吸収体１６の吸水性材料を圧縮して薄くしたものに代えることができる。圧縮される吸水性材料は、高吸収性ポリマー粒子を殆ど含んでいないか、または全く含んでいないことが好ましい。高吸収性ポリマー粒子を含んでいる吸水性材料は、吸水すると膨潤して、空間３１を深さの浅いものに変化させるということがある。
【００４６】
おむつ５１０における隔離シート１７は、図４のそれと同じものであるが、その後端部分１７ｂは外面シート１１ｂにおける部分１１ｃの端部１４ｂからは離間していて、両部分１７ｂ，１１ｃ間で内面シート１１ａが露出しており、また両側縁１７ｃは幅方向Ｗにおいてバリアカフ２２の固定部２２ｂから離間していて、これら両者１７ｃ，２２ｂ間で内面シート１１ａが露出している。隔離シート１７がこのような状態にあると、軟便が透孔２６へ進入せずに隔離シート１７の上を流れても、その軟便の水分を隔離シート１７の周囲で露出している内面シート１１ａの部分で吸収することができる。
【００４７】
おむつ５１０は、胴周り補助弾性部材３６を有することによって、前後胴周り域１２，１３の着用者に対するフィット性が向上する。ただし、その補助弾性部材３６は、吸収体１６が存在している前後胴周り域１２，１３の幅方向Ｗの中央部分では、その吸収体１６の剛性の影響によって、殆ど収縮することがなくて、前後胴周り域１２,１３それぞれの吸収体１６が存在していない両側部のみが実質的な弾性域となって収縮するから、透孔２６のうちで後胴周り域１３やその近傍に位置する部分は、補助弾性部材３６の影響によって形状が大きく変化するということがない。しかも、おむつ５１０は補助弾性部材３６の作用によって着用者の胴周りにフィットしているから、着用者に対する透孔２６の位置は、着用者の動きや姿勢によって大きく変化するということがなく一定しており、便が容易に透孔２６へ進入する。補助弾性部材３６の影響によって後胴周り域１３の近傍で透孔２６が変形することを防ぐために、吸収体１６は、補助弾性部材３６と重なり合う部位とその近傍において、剛性を特に高くしておくこともできる。おむつ５１０ではまた、シャーシ１１の幅方向Ｗの中央域において補助弾性部材３６を切断したり、中央域においてのみ補助弾性部材３６を加熱処理してそこでの補助弾性部材３６の弾性を消失させることによって後胴周り域１３近傍における透孔２６の変形を防ぐ一方、シャーシ１１の後胴周り域１３の両側部で補助弾性部材３６を伸長、収縮させることができる。また、補助弾性部材３６は、中央域に配置せず、前後胴周り域１２，１３いずれかの両側部にのみ配置することもできる。このようにすることで、透孔２６の形状は、主として離間用弾性部材２７の収縮によって規定されるようになる。そうしたおむつ５１０では、着用者が排泄時にどのような姿勢をとっても、透孔２６の周辺が肌に密着して、空間３１における便の捕集性能を高め、便が漏れる可能性を低下させることができる。
【００４８】
図１１は、この発明の実施態様の一例を示すパンツ型おむつ６１０の部分破断斜視図である。おむつ６１０は、図７のおむつ５１０と同じ構造を有するものである。ただし、おむつ６１０では、図８の脚周り弾性部材２１に代えて、脚周り弾性部材６２１が使用されている。脚周り弾性部材６２１は、一対の脚周り開口３５それぞれにおいて頂部から底部に向かって脚周り開口３５をほぼ一周するように延びる部分６２１ａと、股下域１４を横断する部分６２１ｂとを有する。脚周り弾性部材６２１は、伸長状態でおむつ６１０に取り付けられており、股下域１４を横断している部分６２１ｂは、股下域１４の幅を狭めるように作用する。その作用下にある離間用弾性部材２７は、容易に収縮して図９に示される如きＸ字形を画く。そのＸ字形の交差部は、肛門のすぐ前方において肌に当接する。
【００４９】
この発明に係るおむつでは、おむつの内面を形成する透液性内面シート１１ａに対して、内面シート１１ａとは別体であって、肛門の周辺においてのみ肌に密着可能であり、肛門に対しては便の通過を可能にする透孔２６が形成されている比較的小さなシート片からなる隔離シート１７，２１７，３１７等が取り付けられ、その隔離シート１７，２１７，３１７には、それを内面シート１１ａから離間させて空間３１を形成可能であるとともに、透孔２６の前方部分２６ａを前方に向かって幅が狭くなるように作用し、前方部分２６ａの縁に複数のギャザー２７ｆを作る離間用弾性部材２７が取り付けられている。このような隔離シート１７，２１７，３１７は、透孔２６から遠く離れた位置にある弾性部材の伸長、収縮の影響を直接的に受けることが少なく、したがって、透孔２６の形状は離間用弾性部材２７以外の弾性部材の影響で変化することが少ない。また離間用弾性部材２７は、股下域１４を越えて前胴周り域１２にまで延びたり、後胴周り域３の後端部１４ａにまで延びたりすることがないから、離間用弾性部材２７がそのように透孔２６から遠くにまで延びる場合と比較すると、着用者に対する隔離シート１７の位置と透孔２６の形状とは、着用者の動きによって変化することが極めて少なくなり、加えて、透孔２６の前方部分２６ａの近傍は、肛門のすぐ前方において肌に当接することが容易になる。
【産業上の利用可能性】
【００５０】
この発明によれば、便によって肌を汚すことのない使い捨ておむつの製造が可能になる。
【図面の簡単な説明】
【００５１】
【図１】伸展状態にあるおむつの部分破断平面図。
【図２】自然状態にあるおむつの部分破断斜視図。
【図３】図２のＩＩＩ−ＩＩＩ線断面図。
【図４】実施態様の一例であるおむつの部分破断平面図。
【図５】自然状態にある図４のおむつの部分破断斜視図。
【図６】隔離用シートの一例を示す図。
【図７】実施態様の他の一例であるパンツ型おむつの斜視図。
【図８】図７のおむつを平面状に伸展させたときの図４と同様な図。
【図９】図８のおむつの図５と同様な図。
【図１０】図９におけるＸ−Ｘ線断面図。
【図１１】実施態様の一例を示すパンツ型おむつの部分破断斜視図。
【符号の説明】
【００５２】
１０    おむつ
１１    シャーシ
１１ａ    内面シート
１１ｂ    外面シート
１２    前胴周り域
１３    後胴周り域
１４    股下域
１６    吸収体
１７    隔離シート
１７ａ    前端部分
１７ｂ    後端部分
１７ｃ    側部
１７ｄ    中間部分
２０    胴周り弾性部材
２６    透孔
２７    弾性部材（離間用弾性部材）
３６    胴周り弾性部材（補助弾性部材）
２１０    おむつ
２１７    隔離シート
３１７    隔離シート
５１０    おむつ
６１０    おむつ
Ｃ    中心線
Ｌ    長さ方向
Ｗ    幅方向
【図１】
2007125259.tif 000003
【図２】
2007125259.tif 000004
【図３】
2007125259.tif 000005
【図４】
2007125259.tif 000006
【図５】
2007125259.tif 000007
【図６】
2007125259.tif 000008
【図７】
2007125259.tif 000009
【図８】
2007125259.tif 000010
【図９】
2007125259.tif 000011
【図１０】
2007125259.tif 000012
【図１１】
2007125259.tif 000013